(57)【特許請求の範囲】
【請求項１】
接続される加入者呼制御装置からの又は接続される加入者呼制御装置への音声通信を中継する第１の中継呼制御装置と、
単数又は複数の端末を収容し、前記第１の中継呼制御装置に新規に接続される際に自己の識別情報を前記第１の中継呼制御装置に送信する第１の加入者呼制御装置と、
前記識別情報を、前記第１の中継呼制御装置に格納される第１のルーティング情報に追加して更新するとともに、更新した前記第１のルーティング情報を前記第１の加入者呼制御装置に送信する第１の呼制御ルーティング装置と、
前記第１の加入者呼制御装置に格納される第２のルーティング情報を、前記第１の中継呼制御装置からの前記第１のルーティング情報と同期させる第２の呼制御ルーティング装置と、を備える、
音声通信システム。
【請求項２】
前記第１の呼制御ルーティング装置は、前記第１の中継呼制御装置に内蔵され、
前記第２の呼制御ルーティング装置は、前記第１の加入者呼制御装置に内蔵されることを特徴とする、
請求項１に記載の音声通信システム。
【請求項３】
前記第１の中継呼制御装置に接続された、単数又は複数の端末を収容する単数又は複数の第２の加入者呼制御装置と、
前記単数又は複数の第２の加入者呼制御装置のそれぞれに格納される第３のルーティング情報を、前記第１の中継呼制御装置からの前記第１のルーティング情報と同期させる第３の呼制御ルーティング装置と、を更に備え、
前記第１の呼制御ルーティング装置は、更新した前記第１のルーティング情報を、前記単数又は複数の第２の加入者呼制御装置のそれぞれに送信することを特徴とする、
請求項１又は２に記載の音声通信システム。
【請求項４】
前記第３の呼制御ルーティング装置は、前記第２の加入者呼制御装置に内蔵されることを特徴とする、
請求項３に記載の音声通信システム。
【請求項５】
前記第１の中継呼制御装置と接続され、音声通信を中継する第２の中継呼制御装置と、
前記第２の中継呼制御装置に格納される第４のルーティング情報を、前記第１の中継呼制御装置からの前記第１のルーティング情報と同期させる第４の呼制御ルーティング装置と、を更に備え、
前記第１の呼制御ルーティング装置は、更新した前記第１のルーティング情報を、前記第２の中継呼制御装置に送信することを特徴とする、
請求項１乃至４のいずれか一項に記載の音声通信システム。
【請求項６】
前記第４の呼制御ルーティング装置は、前記第２の中継呼制御装置に内蔵されることを特徴とする、
請求項５に記載の音声通信システム。
【請求項７】
前記第２の中継呼制御装置に接続された、単数又は複数の端末を収容する単数又は複数の第３の加入者呼制御装置と、
前記単数又は複数の第３の加入者呼制御装置のそれぞれに格納される第５のルーティング情報を、前記第２の中継呼制御装置からの前記第４のルーティング情報と同期させる第５の呼制御ルーティング装置と、を更に備え、
前記第４の呼制御ルーティング装置は、前記第１のルーティング情報と同期させた前記第４のルーティング情報を、前記単数又は複数の第３の加入者呼制御装置のそれぞれに送信することを特徴とする、
請求項５又は６に記載の音声通信システム。
【請求項８】
前記第５の呼制御ルーティング装置は、前記第３の加入者呼制御装置に内蔵されることを特徴とする、
請求項７に記載の音声通信システム。
【請求項９】
前記第１の中継呼制御装置は、中継網を介して前記第２の中継呼制御装置と接続されることを特徴とする、
請求項５乃至８のいずれか一項に記載の音声通信システム。
【請求項１０】
単数又は複数の端末を収容する加入者呼制御装置が、接続される加入者呼制御装置からの又は接続される加入者呼制御装置への音声通信を中継する中継呼制御装置に新規に接続される際に、前記加入者呼制御装置の識別情報を前記中継呼制御装置に送信させ、
前記識別情報を、前記中継呼制御装置に格納されるルーティング情報に追加して更新し、
更新したルーティング情報を、前記加入者呼制御装置に送信し、
前記加入者呼制御装置に格納されるルーティング情報を、前記中継呼制御装置から受け取った前記ルーティング情報と同期させる、
音声通信システムの制御方法。
【発明の詳細な説明】
【技術分野】
【０００１】
本発明は音声通信システム及び音声通信システムの制御方法に関する。
【背景技術】
【０００２】
音声通信は、ＰＢＸ（Private Branch eXchange）、ＳＩＰ（Session Initiation Protocol）サーバ（以降、呼制御装置と総称する）などにより呼制御を行い、端末間の接続を確立する。機器のＩＰ化に伴い、プロトコルとしてＳＩＰが基準となり、相互接続性は高くなった。しかし、呼制御装置は、相互に接続された呼制御装置間において、登録情報やルーティング情報を交換及び共有する機能を有していない。そのため、共通の番号計画に基づき、局番など発信番号を利用し、番号ルーティングを機器個別にマニュアルで設定する必要がある。新規の局番・内線番号を有した端末や、新規の呼制御装置が収容される場合には、基本的には音声通信システムを構築している全ての呼制御装置に設定を反映させる必要がある。
【０００３】
上述の呼制御装置に関連する技術が一般に知られている。例えば、呼を確立してデータパケットを送受する場合に、緊急連絡等の優先度の高い呼のデータパケットを、迅速に送受できる呼制御装置が提案されている（特許文献１）。また、ＩＰ網において同一輻輳に対する二重制御を防止する、加入者呼制御装置及び中継呼制御装置を有する、トラヒック制御システムが提案されている（特許文献２）。さらに、音声とデータを統合したマルチメディアルーター（呼制御装置）において、音声系へのルーティングテーブルを自動生成する方式が提案されている（特許文献３）。
【先行技術文献】
【特許文献】
【０００４】
【特許文献１】特開２００３−１６３６９０号公報
【特許文献２】特開２０１０−２５２１３８号公報
【特許文献３】特開平１０−３０３９８９号公報
【発明の概要】
【発明が解決しようとする課題】
【０００５】
ところが、発明者は、上述のシステムに呼制御装置を接続する場合には、以下の問題点が有ることを見出した。呼制御装置のルーティング情報は、運用者がシステム全体を俯瞰し設計する必要がある。つまり、発信呼（内線番号）ごとにルートを指定し、大規模な音声通信システムの場合には複数のルートを優先順に登録する必要がある。そのため、新規の端末又は呼制御装置が収容される場合に、設定が必要な情報が乗数的に増加する。
【０００６】
特に、社内等において大規模な内線サービスを構築している場合には、社内体制の変更などに伴って、人手で全面的に設定を更新する措置が必要となる。これに要する保守維持作業の工数は膨大となってしまう。そのため運用コストの増大を招き、かつ、ネットークを柔軟に拡張することが困難であった。
【０００７】
本発明は、上記の事情に鑑みてなされたものであり、本発明の目的は、容易に新規の呼制御装置を導入することができる音声通信システム及び音声通信システムの制御方法を提供することである。
【課題を解決するための手段】
【０００８】
本発明の一態様である音声通信システムは、音声通信を中継する第１の中継呼制御装置と、単数又は複数の端末を収容し、前記第１の中継呼制御装置に新規に接続される際に自己の識別情報を前記第１の中継呼制御装置に送信する第１の加入者呼制御装置と、前記識別情報を、前記第１の中継呼制御装置に格納される第１のルーティング情報に追加して更新するとともに、更新した前記第１のルーティング情報を前記第１の加入者呼制御装置に送信する第１の呼制御ルーティング装置と、前記第１の加入者呼制御装置に格納される第２のルーティング情報を、前記第１の中継呼制御装置からの前記第１のルーティング情報と同期させる第２の呼制御ルーティング装置と、を備えるものである。
【０００９】
本発明の一態様である音声通信システムの制御方法は、単数又は複数の端末を収容する加入者呼制御装置が中継呼制御装置に新規に接続される際に、前記加入者呼制御装置の識別情報を前記中継呼制御装置に送信させ、前記識別情報を、前記中継呼制御装置に格納されるルーティング情報に追加して更新し、更新したルーティング情報を、前記加入者呼制御装置に送信し、前記加入者呼制御装置に格納されるルーティング情報を、前記中継呼制御装置から受け取った前記ルーティング情報と同期させるものである。
【発明の効果】
【００１０】
本発明によれば、容易に新規の呼制御装置を導入することができる音声通信システム及び音声通信システムの制御方法を提供することができる。
【図面の簡単な説明】
【００１１】
【図１】実施の形態１にかかる音声通信システム１００の構成例を模式的に示すブロック図である。
【図２】グループＧ１の中継呼制御装置１に加入者呼制御装置１３が接続される場合の構成を模式的に示すブロック図である。
【図３】実施の形態１にかかる新規加入者呼制御装置接続処理（ステップＳ１）での処理内容を示すフローチャートである。
【図４】実施の形態２にかかるグループ内処理（ステップＳ２）での処理内容を示すフローチャートである。
【図５】実施の形態３にかかるグループ外処理（ステップＳ３）での処理内容を示すフローチャートである。
【発明を実施するための形態】
【００１２】
以下、図面を参照して本発明の実施の形態について説明する。各図面においては、同一要素には同一の符号が付されており、必要に応じて重複説明は省略される。
【００１３】
実施の形態１
まず、本発明の実施の形態１について説明する。音声通信システムは、複数の呼制御装置を有する。呼制御装置は、端末を収容する加入者収容呼制御装置と、加入者収容呼制御装置間の接続を中継する中継する中継呼制御装置とに分類される。複数の中継呼制御装置が中継ネットワークを構築し、ネットワーク端となる中継呼制御装置には、端末を収容する加入者収容呼制御装置が複数接続される。
【００１４】
図１は、実施の形態１にかかる音声通信システム１００の構成例を模式的に示すブロック図である。音声通信システム１００は、中継呼制御装置１及び２、加入者呼制御装置１１、１２及び２１〜２３、中継網３、呼制御ルーティング装置Ｒ１、Ｒ２、Ｒ１１、Ｒ１２及びＲ２１〜Ｒ２３、複数の端末により構成される。なお、簡略化のため、図１では、中継呼制御装置を中継ＣＣＥ（Call Control Equipment）と表示している。同様に、図１では、加入者呼制御装置を加入者ＣＣＥ（Call Control Equipment）と表示している。中継呼制御装置１及び２は、中継網３を介して、相互に接続される。図１では、呼制御ルーティング装置を、ＣＲＥ（Call control Routing Equipment）と表示している。以下、図２以降においても、同様の省略表示を用いる。中継呼制御装置１及び２は、中継網３を介して、相互に接続される。
【００１５】
中継呼制御装置１の下位には、加入者呼制御装置１１及び１２が接続される。加入者呼制御装置１１は、端末１１１及び１１２を収容する。加入者呼制御装置１２は、端末１２１及び１２２を収容する。これにより、中継呼制御装置１、加入者呼制御装置１１及び１２、端末１１１、１１２、１２１及び１２２は、中継呼制御装置１を頂点とする１つのネットワーク（以下、グループＧ１と称する）を構成する。
【００１６】
中継呼制御装置２の下位には、加入者呼制御装置２１〜２３が接続される。加入者呼制御装置２１は、端末２１１及び２１２を収容する。加入者呼制御装置２２は、端末２２１及び２２２を収容する。加入者呼制御装置２３は、端末２３１及び２３２を収容する。これにより、中継呼制御装置２及び加入者呼制御装置２１〜２３、端末２１１、２１２、２２１、２２２、２３１及び２３２は、中継呼制御装置２を頂点とする１つのネットワーク（以下、グループＧ２と称する）を構成する。
【００１７】
加入者呼制御装置１１、１２及び２１〜２３は、それぞれ固有の識別情報を有する。ここで、固有の識別情報とは、それぞれの加入者呼制御装置に対して与えられる局番等の情報を意味する。すなわち、局番を特定することで、目的とする加入者呼制御装置を識別することが可能となる。
【００１８】
次いで、音声通信システム１００における音声通信方法について説明する。中継呼制御装置及び加入者呼制御装置は、ルーティング情報を、発信元端末と発信先端末との間の呼を確立するために使用する。本実施の形態では、中継呼制御装置及び加入者呼制御装置の局番及びＩＰアドレスを、ルーティング情報として用いる。
【００１９】
中継呼制御装置１及び２は、それぞれルーティング情報を含むルーティングテーブルＲＴ１及びＲＴ２が格納された記憶装置Ｍ１及びＭ２を有する。また、中継呼制御装置１及び２には、それぞれルーティング情報を制御する呼制御ルーティング装置Ｒ１及びＲ２が接続される。必要に応じて、ルーティングテーブルＲＴ１及びＲＴ２は、それぞれ呼制御ルーティング装置Ｒ１及びＲ２により読み出され、又は更新される。具体的には、ルーティングテーブルＲＴ１及びＲＴ２には、加入者呼制御装置１１、１２、２１〜２３の局番及びＩＰアドレスが含まれる。
【００２０】
同様に、加入者呼制御装置１１、１２及び２１〜２３は、それぞれルーティング情報を含むルーティングテーブルＲＴ１１、ＲＴ１２及びＲＴ２１〜ＲＴ２３が格納された記憶装置Ｍ１１、Ｍ１２及びＭ２１〜Ｍ２３を有する。また、加入者呼制御装置１１、１２及び２１〜２３には、それぞれルーティング情報を制御する呼制御ルーティング装置Ｒ１１、Ｒ１２及びＲ２１〜Ｒ２３が接続される。必要に応じて、ルーティングテーブルＲＴ１１、ＲＴ１２及びＲＴ２１〜ＲＴ２３は、それぞれ呼制御ルーティング装置Ｒ１１、Ｒ１２及びＲ２１〜Ｒ２３により読み出され、又は更新される。具体的には、ルーティングテーブルＲＴ１１、ＲＴ１２及びＲＴ２１〜ＲＴ２３には、加入者呼制御装置１１、１２及び２１〜２３の局番及びＩＰアドレスと、自己が収容する端末の番号及びＩＰアドレスと、が含まれる。
【００２１】
グループＧ１の端末１１１から、グループＧ２のある端末２３２へ発呼が行われる場合について説明する。ここでは、発呼元の端末１１１の番号を「００１」とする。発呼先の端末１３２の番号を「００２」とする。加入者呼制御装置１１及び２３の局番を、それぞれ「０１１」及び「０２３」とする。
【００２２】
音声通話を行おうとするユーザが、発呼先端末の電話番号「０２３−００２」を発信元の端末１１１に入力する。すると、加入者呼制御装置１１は、発呼の転送先を探索する。具体的には、電話番号の加入者呼制御装置を示す局番が「０２３」であるので、加入者呼制御装置１１の呼制御ルーティング装置Ｒ１１は、発呼の転送先が自局（加入者呼制御装置１１）の収容端末ではないこと、及び、発呼の転送先がグループＧ２の端末であることを認識する。よって、呼制御ルーティング装置Ｒ１１は、発呼をグループＧ２へ転送するため、ルーティングテーブルＲＴ１１を参照し、中継呼制御装置１のＩＰアドレスを読み出す。そして、読み出したＩＰアドレスを用いて、発呼を中継呼制御装置１に転送する。
【００２３】
中継呼制御装置１は、転送された発呼の転送先を探索する。具体的には、電話番号の中継呼制御装置を示す局番が「０２３」であるので、呼制御ルーティング装置Ｒ１は、発呼の転送先がグループＧ２であることを認識する。よって、中継呼制御装置１の呼制御ルーティング装置Ｒ１は、発呼をグループＧ２へ転送するため、ルーティングテーブルＲＴ１を参照し、中継呼制御装置２のＩＰアドレスを読み出す。そして、読み出したＩＰアドレスを用いて、発呼を中継呼制御装置２に転送する。
【００２４】
中継呼制御装置２は、転送された発呼の転送先を探索する。具体的には、電話番号の中継呼制御装置を示す局番が「０２３」であるので、中継呼制御装置２の呼制御ルーティング装置Ｒ２は、発呼の転送先が自グループ（グループＧ２）の加入者呼制御装置２３であることを認識する。そのため、呼制御ルーティング装置Ｒ２は、ルーティングテーブルＲＴ２を参照し、加入者呼制御装置２３の局番に対応するＩＰアドレスを読み出す。そして、読み出したＩＰアドレスを用いて、発呼を加入者呼制御装置２３に転送する。
【００２５】
加入者呼制御装置２３は、転送された発呼の転送先を探索する。具体的には、発呼先端末を示す番号が「００２」であるので、発呼を番号が「００２」の端末１３２に転送する。これにより、発呼元の端末１１１から発呼先の端末１３２に発呼が到達する。その後、発呼を受けて端末１３２のユーザが受話器を取り上げるなどの動作を行うことにより、呼が確立される。
【００２６】
続いて、音声通信システム１００に、新規に加入者呼制御装置が接続される場合について説明する。ここでは、グループＧ１に新規に加入者呼制御装置１３が接続される場合について説明する。図２は、グループＧ１の中継呼制御装置１に加入者呼制御装置１３が接続される場合の構成を模式的に示すブロック図である。図２では、簡略化のため、加入者呼制御装置１１及び１２、呼制御ルーティング装置Ｒ１１及びＲ１２を省略している。
【００２７】
加入者呼制御装置１３は、呼制御ルーティング装置Ｒ１３及び記憶装置Ｍ１３を有する。記憶装置Ｍ１３には、ルーティング情報を含むルーティングテーブルＲＴ１３が格納される。ルーティングテーブルＲＴ１３には、加入者呼制御装置１３が収容している端末の番号及びＩＰアドレスが含まれる。
【００２８】
中継呼制御装置１に加入者呼制御装置１３が接続されると、加入者呼制御装置１３の接続処理（新規加入者呼制御装置接続処理）が行われる。以下、新規加入者呼制御装置接続処理（ステップＳ１）の詳細について説明する。図３は、新規加入者呼制御装置接続処理（ステップＳ１）での処理内容を示すフローチャートである。新規加入者呼制御装置接続処理（ステップＳ１）は、ステップＳ１１〜Ｓ１４を有する。
【００２９】
中継呼制御装置１に加入者呼制御装置１３が接続されると、まず、呼制御ルーティング装置Ｒ１３は、呼制御ルーティング装置Ｒ１に対して、加入者呼制御装置１３の局番及びＩＰアドレスを通知する（ステップＳ１１）。
【００３０】
呼制御ルーティング装置Ｒ１は、加入者呼制御装置１３から通知された局番及びＩＰアドレスに基づいて、ルーティング情報を更新する。具体的には、呼制御ルーティング装置Ｒ１は、通知された加入者呼制御装置１３の局番及びＩＰアドレス局番を、ルーティングテーブルＲＴ１に追加する。そして、呼制御ルーティング装置Ｒ１は、更新したルーティング情報に基づき、加入者呼制御装置１３への経路制御を決定する。そして、決定した加入者呼制御装置１３への経路制御情報を、ルーティングテーブルＲＴ１に書き込む（ステップＳ１２）。
【００３１】
なお、ルーティング方法の基本とするルーティングプロトコルとして、本実施の形態では、ＢＧＰ（Border Gateway Protocol）の概念を利用する。ＢＧＰでは、インターネット上の組織間の経路制御を実施する。各組織はインターネット上においてユニークな番号としてＡＳ（Autonomous System）番号を付与される。ＢＧＰの経路制御では、ＡＳ番号とＩＰアドレス（Internet Protocol）を利用し経路が決定される。各組織内では、ＯＳＰＦ（Open Shortest Path First）、ＲＩＰ（Routing Information Protocol）などの組織の内部で完結する経路制御プロトコルＩＧＰ（Interior Gateway Protocol）を利用しルーティングされる。１つの中継呼制御装置に対し、複数の加入者呼制御装置が接続される構成が基本となるため、このグループを内部完結された組織と考え、中継呼制御装置間の接続についてＢＧＰの概念を利用する。
【００３２】
経路情報の生成においては、中継呼制御装置間の各ルート情報を利用する。ルート情報としては、最大同時処理セッション数、ホップ数、ウェイトなどとする。生成される最適な経路は複数の経路とし、経路には優先順位が付与される。呼は優先順位が高い経路から順にルーティングされ、接続先が未確認状態になった場合、最大同時セッション数が超過した場合など、接続先が未定となった場合には、次に優先される経路へルーティングする。呼制御ルーティング装置を呼制御装置に連接又は内蔵することにより、呼制御装置の新規追加、離脱や局番変更が自動化され、容易に呼制御装置による中継網を変更することが可能となる。
【００３３】
次いで、呼制御ルーティング装置Ｒ１は、更新したルーティングテーブルＲＴ１を読み出し、加入者呼制御装置１３へ転送する（ステップＳ１３）。
【００３４】
その後、呼制御ルーティング装置Ｒ１は、受け取ったルーティングテーブルＲＴ１を、ルーティングテーブルＲＴ１３として書き込む。つまり、ルーティングテーブルＲＴ１３は、ルーティングテーブルＲＴ１の内容と同期するように更新される（ステップＳ１４）。これにより、中継呼制御装置１と加入者呼制御装置１３との間の接続処理が終了し、双方向通信が可能となる。
【００３５】
上述のように、新規加入者呼制御装置接続処理を行うことにより、中継呼制御装置１は、加入者呼制御装置１３の局番を識別することができる。これにより、中継呼制御装置１に転送されてくる他の端末から加入者呼制御装置１３への発呼に応じて、発呼元端末と、加入者呼制御装置１３が収容する発呼先端末との間の呼を確立することができる。
【００３６】
よって、本実施の形態によれば、容易に新規の呼制御装置を導入することができる音声通信システムを提供することができる。また、本実施の形態によれば、容易に新規の呼制御装置の導入を可能とする音声通信システムの制御方法を提供することができる。
【００３７】
実施の形態２
次に、本発明の実施の形態２について説明する。実施の形態１では、中継呼制御装置１と加入者呼制御装置１３との間の接続処理について説明したが、本実施の形態では、新規加入者呼制御装置接続処理（ステップＳ１）後の、中継呼制御装置１の下位に接続される加入者呼制御装置１１及び１２における処理について説明する。中継呼制御装置１は、新規加入者呼制御装置接続処理（ステップＳ１）を終えると、グループ内処理（ステップＳ２）に移行する。以下、グループ内処理（ステップＳ２）の詳細について説明する。図４は、グループ内処理（ステップＳ２）での処理内容を示すフローチャートである。グループ内処理（ステップＳ２）は、ステップＳ２１及びＳ２２を有する。
【００３８】
具体的には、新規加入者呼制御装置接続処理（ステップＳ１）を終えると、呼制御ルーティング装置Ｒ１は、ルーティングテーブルＲＴ１を読み出す。そして、呼制御ルーティング装置Ｒ１は、ルーティングテーブルＲＴ１を加入者呼制御装置１１及び１２に転送する（ステップＳ２１）。
【００３９】
呼制御ルーティング装置Ｒ１１は、受け取ったルーティングテーブルＲＴ１を、ルーティングテーブルＲＴ１１として書き込む。呼制御ルーティング装置Ｒ１２は、受け取ったルーティングテーブルＲＴ１を、ルーティングテーブルＲＴ１２として書き込む。つまり、ルーティングテーブルＲＴ１１及びＲ１２は、ルーティングテーブルＲＴ１の内容と同期するように更新される（ステップＳ２２）。
【００４０】
上述のように、グループ内処理を行うことにより、加入者呼制御装置１３に収容される端末と、加入者呼制御装置１１及び１２に収容される端末と間の呼を確立するために、自動的にルーティング情報を設定することが可能となる。
【００４１】
よって、本実施の形態によれば、実施の形態１と同様に、容易に新規の呼制御装置を導入することができる音声通信システムを提供することができる。また、本実施の形態によれば、実施の形態１と同様に、容易に新規の呼制御装置の導入を可能とする音声通信システムの制御方法を提供することができる。さらに、本実施の形態によれば、新規の加入者呼制御装置が導入された際に、同じグループの他の加入者呼制御装置に対して自動的にルーティング情報を設定することができる音声通信システム及び音声通信システムの制御方法を提供することができる。
【００４２】
実施の形態３
次に、本発明の実施の形態３について説明する。本実施の形態では、新規加入者呼制御装置接続処理（ステップＳ１）及びグループ内処理（ステップＳ２）を終えた後の、グループ外処理（ステップＳ３）について説明する。中継呼制御装置１は、新規加入者呼制御装置接続処理（ステップＳ１）及びグループ内処理（ステップＳ２）を終えると、グループ外処理（ステップＳ３）に移行する。以下、グループ外処理（ステップＳ３）の詳細について説明する。図５は、グループ外処理（ステップＳ３）での処理内容を示すフローチャートである。グループ外処理（ステップＳ３）は、ステップＳ３１〜Ｓ３３を有する。
【００４３】
具体的には、グループ内処理（ステップＳ２）を終えると、呼制御ルーティング装置Ｒ１は、ルーティングテーブルＲＴ１を読み出す。そして、呼制御ルーティング装置Ｒ１は、ルーティングテーブルＲＴ１を中継呼制御装置２に転送する（ステップＳ３１）。
【００４４】
呼制御ルーティング装置Ｒ２は、受け取ったルーティングテーブルＲＴ１を、ルーティングテーブルＲＴ２として書き込む。つまり、ルーティングテーブルＲＴ２は、ルーティングテーブルＲＴ１の内容と同期するように更新される（ステップＳ３２）。
【００４５】
その後、呼制御ルーティング装置Ｒ２は、ルーティングテーブルＲＴ２を読み出す。そして、呼制御ルーティング装置Ｒ２は、ルーティングテーブルＲＴ２を加入者呼制御装置２１〜２３に転送する（ステップＳ３３）。
【００４６】
呼制御ルーティング装置Ｒ２１〜Ｒ２３は、受け取ったルーティングテーブルＲＴ２を、それぞれルーティングテーブルＲＴ２１〜２３として書き込む。つまり、ルーティングテーブルＲＴ２１〜２３は、ルーティングテーブルＲＴ１の内容と同期するように更新される（ステップＳ３４）。
【００４７】
上述のように、グループ外処理を行うことにより、加入者呼制御装置１３に収容される端末と、グループＧ２の端末と間の呼を確立するために、自動的にルーティング情報を設定することが可能となる。
【００４８】
よって、本実施の形態によれば、実施の形態１及び２と同様に、容易に新規の呼制御装置を導入することができる音声通信システムを提供することができる。また、本実施の形態によれば、実施の形態１及び２と同様に、容易に新規の呼制御装置の導入を可能とする音声通信システムの制御方法を提供することができる。さらに、本実施の形態によれば、新規の加入者呼制御装置が導入された際に、異なるグループ間においても自動的にルーティング情報を設定することができる音声通信システム及び音声通信システムの制御方法を提供することができる。
【００４９】
その他の実施の形態  
なお、本発明は上記実施の形態に限られたものではなく、趣旨を逸脱しない範囲で適宜変更することが可能である。例えば、上述の例では、呼制御ルーティング装置が呼制御装置と独立して設けられる場合について示したが、これは例示に過ぎない。すなわち、呼制御ルーティング装置は、呼制御装置に内蔵されてもよい。
【００５０】
音声通信システム１００は、例えば、全国に支店を有する企業の社内の内線電話にかかる音声通信網に適用することが可能である。この場合、例えば、中継呼制御装置は支店が設けられた都道府県ごと、市町村ごと、又は営業エリアごとに１台ずつ設置される。各都道府県、各市町村又は各営業エリア内の支店には、加入者呼制御装置が１台ずつ設置される。そして、新規に支店を開店する場合には、新規支店の加入者呼制御装置が、いずれかの中継呼制御装置に接続される。音声通信システム１００では、新規支店の加入者呼制御装置に予め設定された番号及びＩＰアドレスが、接続先の中継呼制御装置に送信され、中継呼制御装置のルーティング情報が自動的に更新される。その後、他の加入者呼制御装置や中継呼制御装置のルーティング情報も自動的に更新される。これにより、新規に支店を開店する場合でも、自動的に社内の内線電話にかかる音声通信網を構築することが可能である。
【００５１】
呼制御ルーティング装置間の通信の方法は、呼制御装置間の中継網を利用するインバウンド方式と別にネットワークを構築するアウトバンド方式を選択可能とする機能を有してもよい。通信時、ルーティング情報の盗聴等を防止するため、呼制御ルーティング装置間のセッション確立時には、認証および暗号化の機能が付加することが可能である。
【００５２】
ルーティング情報（ルーティングテーブル）の更新において、接続先となる呼制御装置の状態を管理するため、機器相互間において死活監視の機能を付加してよい。また、呼制御装置の加入・離脱と復旧（障害後の再接続）・停止（通信障害・機器障害）を区分するため、呼制御装置と呼制御ルーティング装置との連携機能を付加してもよい。以下、連携機能について説明する。例えば、呼制御装置間は、機器の死活監視を実施し復旧・停止の状況を管理し、呼制御装置は、呼制御ルーティング装置に管理情報を展開することができる。そして、呼制御ルーティング装置間では、管理情報により呼制御装置の状況を把握し、呼制御ルーティング装置が新規に接続された呼制御装置については加入と判断し、障害情報がない状態で接続先となる呼制御ルーティング装置と通信できなくなった場合には離脱として処理する。これにより、音声通信システムの実情に応じ、自動的に最適な音声通信システムを構築することができる。
【００５３】
ルーティング情報は、様々なユーザ情報を用いることが可能である。例えば、センシング情報（ＧＰＳなどによる位置情報、天気・温度などの環境情報など）や、通信量などの情報（端末の通信量をもとにした総中継通信量、各通信の宛先ごとの通信量など）を、ルーティング情報として用いることが可能である。そして、ユーザ情報に基づき、呼制御装置がルーティングする対象を拡張し、通話だけではなく、データ系通信や電力などの電気的信号のルーティングも対象とすることも可能である。
【００５４】
上記の実施の形態の一部又は全部は、以下の付記のようにも記載され得るが、以下には限られない。
【００５５】
（付記１）音声通信を中継する第１の中継呼制御装置と、単数又は複数の端末を収容し、前記第１の中継呼制御装置に新規に接続される際に自己の識別情報を前記第１の中継呼制御装置に送信する第１の加入者呼制御装置と、前記識別情報を、前記第１の中継呼制御装置に格納される第１のルーティング情報に追加して更新するとともに、更新した第１のルーティング情報を前記第１の加入者呼制御装置に送信する第１の呼制御ルーティング装置と、前記第１の加入者呼制御装置に格納される第２のルーティング情報を、前記第１の中継呼制御装置からの前記第１のルーティング情報と同期させる第２の呼制御ルーティング装置と、を備える、音声通信システム。
【００５６】
（付記２）前記第１の呼制御ルーティング装置は、前記第１の中継呼制御装置に内蔵され、前記第２の呼制御ルーティング装置は、前記第１の加入者呼制御装置に内蔵されることを特徴とする、付記１に記載の音声通信システム。
【００５７】
（付記３）前記第１の中継呼制御装置に接続された、単数又は複数の端末を収容する単数又は複数の第２の加入者呼制御装置を更に備え、前記単数又は複数の第２の加入者呼制御装置のそれぞれに格納される第３のルーティング情報を、前記第１の中継呼制御装置からの前記第１のルーティング情報と同期させる第３の呼制御ルーティング装置と、を更に備え、前記第１のルーティング装置は、前記更新した第１のルーティング情報を、前記単数又は複数の第２の加入者呼制御装置のそれぞれに送信することを特徴とする、付記１又は２に記載の音声通信システム。
【００５８】
（付記４）前記第３の呼制御ルーティング装置は、前記第２の加入者呼制御装置に内蔵されることを特徴とする、付記３に記載の音声通信システム。
【００５９】
（付記５）前記第１の中継呼制御装置と接続され、音声通信を中継する第２の中継呼制御装置を更に備え、前記第２の中継呼制御装置に格納される第４のルーティング情報を、前記第１の中継呼制御装置からの前記第１のルーティング情報と同期させる第４の呼制御ルーティング装置と、を更に備え、前記第１のルーティング装置は、前記更新した第１のルーティング情報を、前記第２の中継呼制御装置に送信することを特徴とする、付記１乃至４のいずれかに記載の音声通信システム。
【００６０】
（付記６）前記第４の呼制御ルーティング装置は、前記第２の中継呼制御装置に内蔵されることを特徴とする、付記５に記載の音声通信システム。
【００６１】
（付記７）前記第２の中継呼制御装置に接続された、単数又は複数の端末を収容する単数又は複数の第３の加入者呼制御装置を更に備え、前記前記単数又は複数の第３の加入者呼制御装置のそれぞれに格納される第５のルーティング情報を、前記第２の中継呼制御装置からの前記第４のルーティング情報と同期させる第５の呼制御ルーティング装置と、を更に備え、前記第４のルーティング装置は、前記第１のルーティング情報と同期させた前記第４の呼制御ルーティングを、前記単数又は複数の第３の加入者呼制御装置のそれぞれに送信することを特徴とする、付記５又は６に記載の音声通信システム。
【００６２】
（付記８）前記第５の呼制御ルーティング装置は、前記第３の加入者呼制御装置に内蔵されることを特徴とする、付記７に記載の音声通信システム。
【００６３】
（付記９）前記第１の中継呼制御装置は、中継網を介して前記第２の中継呼制御装置と接続されることを特徴とする、付記５乃至８のいずれかに記載の音声通信システム。
【００６４】
（付記１０）前記第１の中継呼制御装置には、複数の前記第２の呼制御装置が接続されることを特徴とする、付記５乃至９のいずれかに記載の音声通信システム。
【００６５】
（付記１１）前記識別情報は、前記第１の加入者呼制御装置に付与された番号及びＩＰアドレスであることを特徴とする、付記１乃至１０のいずれかに記載の音声通信システム。
【００６６】
（付記１２）単数又は複数の端末を収容する加入者呼制御装置が中継呼制御装置に新規に接続される際に、前記加入者呼制御装置の識別情報を前記中継呼制御装置に送信させ、前記識別情報を、前記中継呼制御装置に格納されるルーティング情報に追加して更新し、更新したルーティング情報を、前記加入者呼制御装置に送信し、前記加入者呼制御装置に格納されるルーティング情報を、前記中継呼制御装置から受け取った前記ルーティング情報と同期させる、音声通信システムの制御方法。
【符号の説明】
【００６７】
１、２    中継呼制御装置
３  中継網
１１〜１３、２１〜２３  加入者呼制御装置
１００  音声通信システム
Ｇ１、Ｇ２  グループ
Ｍ１、Ｍ２、Ｍ１１〜Ｍ１３  記憶装置
Ｒ１、Ｒ２、    ルーティング装置
Ｒ１、Ｒ２、Ｒ１１〜Ｒ１３、Ｒ２１〜Ｒ２３  呼制御ルーティング装置
ＲＴ１、ＲＴ２、ＲＴ１１〜ＲＴ１３、ＲＴ２１〜ＲＴ２３  ルーティングテーブル
ＴＥＲ    端末
【図１】
0005966447.tif 000002
【図２】
0005966447.tif 000003
【図３】
0005966447.tif 000004
【図４】
0005966447.tif 000005
【図５】
0005966447.tif 000006